(57)【特許請求の範囲】
【請求項１】
発熱体を収容するために用いられ、当該発熱体から発生した熱を外部へ放出するための通風孔を備えた筐体であって、
少なくとも前記通風孔が設けられた部分の近辺の内周側に、粘着層を設けたことを特徴とする筐体。
【請求項２】
前記粘着層は、少なくとも筐体底部にも設けられていることを特徴とする請求項１に記載の筐体。
【請求項３】
前記粘着層は、難燃性であることを特徴とする請求項１又は２に記載の筐体。
【請求項４】
前記粘着層の設けられた筐体の一部分は、筐体本体部分から取り外し自在に構成されていることを特徴とする請求項１乃至３のいずれかに記載の筐体。
【請求項５】
筐体内壁に取り外し自在な板状体に前記粘着層を設けることによって、前記通風孔が設けられた部分の近辺の内周側に粘着層が設けられるように構成したことを特徴とする請求項１乃至３のいずれかに記載の筐体。
【発明の詳細な説明】
【０００１】
【発明の属する技術分野】
本発明は、例えばコンピュータやハードディスク装置等の機器用筐体のように、内部に発熱体を収容するための筐体であって、発熱体から発生した熱を外部へ放出するための通風孔を備えた筐体に関する。
【０００２】
【従来の技術】
従来、例えばコンピュータやハードディスク装置等の機器においては、筐体内部にＣＰＵやディスクドライブユニットその他の発熱体を収容しているため、筐体自体に、発熱体から発生した熱を外部へ放出するための通風孔を備えるようにしていた。そして、例えば冷却ファンによって筐体内部を通風させるなどして冷却していた。但し、この通風孔からは種々の小型の虫（ゴキブリなども該当する）などが侵入する可能性がある。したがって、その侵入を防止するために通風孔自体や冷却ファン等に目の細かい網等を貼り付けるなどの対策を構じていた。
【０００３】
【発明が解決しようとする課題】
しかしながら、こうした目の細かい網等で通風孔や冷却ファンを覆うことにより内部の冷却効率が悪くなったり目詰まりによる内部冷却不良が生じる。その結果、例えばコンピュータ機器であればプログラムの暴走や部品の劣化といった種々の不具合を招来してしまう可能性があった。
【０００４】
このように、虫の侵入を防止する観点からは網などで通風孔を覆うことが好ましいが、通風孔を用いた内部冷却機能などを適切に発揮させるためには、網などで通風孔を覆うことは好ましくなく、これらのバランスを取ることが困難であった。
【０００５】
本発明は、上述した問題点を解決するためになされたものであり、外部から侵入した虫等を捕獲する構成を採用することによって、通風孔自体には特に虫の侵入を防止するための対策を施さなくてもよくし、効果的な内部冷却と虫等からの機器の保護を両立可能な筐体を提供することを目的とする。
【０００６】
【課題を解決するための手段及び発明の効果】
上記目的を達成するためになされた請求項１に記載の筐体は、発熱体を収容するために用いられ、当該発熱体から発生した熱を外部へ放出するための通風孔を備えた筐体であって、少なくとも前記通風孔が設けられた部分の近辺の内周側に、粘着層を設けたことを特徴とする。発熱体としては、例えばコンピュータ関連機器であればＣＰＵやディスク回転駆動部分などが挙げられる。また、例えば多数のハードディスク装置を筐体内に収容し、ハードディスクディスクアレイとして使用する場合には、各ハードディスク装置においてディスクを高速回転させることとなるため、それぞれが発熱体となり、ハードディスクアレイ全体としてはかなりの発熱が生じることとなる。
【０００７】
本筐体によれば、例えばゴキブリやハエ、さらに小型の虫等が通風孔から筐体内部へ侵入した場合には、通風孔が設けられた部分の近辺の内周側に粘着層が設けられているため、侵入した虫が粘着層上に移動すると、粘着層によって捕獲された状態となる。このように、外部から侵入した虫等の捕獲が粘着層によって実現されるため、あえて通風孔を目の細かい網などを覆う必要がない。また、冷却ファンを内部に備えている場合にも、同様にその冷却ファンを目の細かい網などを覆う必要がないため、通風孔を用いた内部冷却機能などを適切に発揮させることができる。例えば、上述したハードディスクアレイなどでは、大型の冷却ファンや複数のファンを使用して通風することが必要とされるが、このような場合には通風機能を妨げることは好ましくないので、本案のようにすることが非常に有効である。
【０００８】
また、請求項２に示すように、粘着層の配設場所については、上述したように少なくとも通風孔が設けられた部分の近辺の内周側に設けることが必要であるが、さらには、少なくとも筐体底部にも設けるようにすると好ましい。このように筐体底部に設ける理由は、筐体上部あるいは側部から侵入した虫がそのまま落下していくことなどが考えられ、必ずしも通風孔近辺に設けた粘着層によって捕獲されない可能性もあるため、種々の事情を鑑みた場合に最も捕獲の可能性が高いと思われる底部に配置しておけば、捕獲の可能性が高くなるからである。もちろん、通風孔が筐体底部に設けられている場合には、粘着層は通風孔が設けられた部分だけ除いた筐体底部に配設すればよい。
【０００９】
なお、単に捕獲の観点からすれば、筐体の内周全体に粘着層を設けることが好ましいが、発熱体その他の装置・部品などを収容しているため、実際には筐体の内周全体に粘着層を設けることは困難な場合もある。したがって、その場合においても、筐体の底部にだけは最低限粘着層を設けておくと、上記効果が発揮される。
【００１０】
また、請求項３に示すように、前記粘着層は、難燃性であることが好ましい。なぜなら、筐体内部には発熱体が収容されることが前提となっており、電気的に駆動する機器などが多いと考えられ、それらの熱や電気を原因とした発火などの不具合を生じさせないためにも、難燃性としておくことが好ましい。
【００１１】
また、請求項４に示すように、粘着層の設けられた筐体の一部分は、筐体本体部分から取り外し自在に構成するとよい。これは、虫などを粘着層によって捕獲した場合にそれを除去するのに都合がよいからである。取り外し自在な構成としては、筐体の一部分を筐体本体部分に設けたガイドレール部分にスライドさせて装着・取り外しできるようにする構成などが考えられる。もちろん、これ以外にも一般的に用いられている取り外し自在な構成を適用してもよい。
【００１２】
また、虫などを粘着層によって捕獲した場合にそれを除去するのに都合がよいという観点からすれば、筐体の一部分が完全には筐体本体部分から分離しなくも構わない。例えば、筐体の一部分の一端をヒンジで筐体本体部分に固定し、そのヒンジを中心として揺動するような構成であってもよい。
【００１３】
なお、粘着層を設ける手法については、例えば筐体の内壁に直接粘着剤を塗布するなどして設けてもよいが、その場合には、筐体の一部自体を交換したり、掃除したりする必要があるため、請求項５に示す構成を採用してもよい。つまり、筐体内壁に取り外し自在な板状体に粘着層を設けることによって、通風孔が設けられた部分の近辺の内周側に粘着層が設けられるように構成するのである。このようにすれば、その板状体だけを交換すればよく、利便は向上する。
【００１４】
【発明の実施の形態】
以下、本発明を具体化した一実施形態を図面を参照して説明する。
図１は、本発明の筐体をディスクトップ型コンピュータ用の筐体１に適用した場合の概略構成を示す分解斜視図である。
【００１５】
本筐体１は、コンピュータを構成する各種部品５を収納するための筐体本体１２と、筐体本体１２の上部に配置される筐体上部カバー１１と、筐体本体１２の前面に取り付けられるフロントパネル１３と、筐体本体１２の下部に配置される筐体下部カバー１４とを備えている。筐体本体１２内に収納される各種部品５には、例えばＣＰＵ、ＲＯＭなどが搭載されたボードや電源ユニット、フロッピーディスクドライブ（ＦＤＤ）ユニットや、ハードディスクドライブ（ＨＤＤ）ユニットなどがある。
【００１６】
本実施形態の筐体下部カバー１４には、筐体本体１２内に配設される発熱体としてのＣＰＵやディスクドライブユニットなどから発生した熱を外部に逃がすための通風孔１６が設けられている。そして、「筐体底部」に相当する筐体下部カバー１４の内面側には、通風孔１６を囲むようにしてフィルム状の粘着シート１５が張り付けられている。筐体下部カバー１４に張り付けられた粘着シート１５は、筐体本体１２内部側が粘着層１５ａとなるようにされており、難燃性の材質で形成されたものである。
【００１７】
このような構成の本筐体１によれば、例えばゴキブリやハエ、さらに小型の虫等が通風孔１６から筐体１の内部、すなわちこの場合には筐体本体１２内へ侵入した場合には、通風孔１６の周囲には粘着シート１５の粘着層１５ａが配設されているため、侵入した虫が粘着層１５ａ上に移動すると、粘着層１５ａによって捕獲された状態となる。このように、外部から侵入した虫の捕獲が粘着シート１５によって実現されるため、あえて通風孔１６を目の細かい網などを覆う必要がない。そのため、通風孔１６を用いた内部冷却機能などを適切に発揮させることができる。
【００１８】
なお、図１では示していないが、発熱体を冷却するために筐体本体１２内に冷却ファンを備える構成を採用した場合には、その冷却ファンについても目の細かい網などを覆う必要がないため、通風孔１６を用いた内部冷却機能などを適切に発揮させることができる。
【００１９】
また、本実施形態で用いた粘着シート１５は難燃性であるため、次のようなメリットもある。つまり、筐体１内部には発熱体が収容されることが前提となっており、電気的に駆動する機器などが多いと考えられ、それらの熱や電気を原因とした発火などの不具合を生じさせないのである。
【００２０】
また、本実施形態の筐体１の場合には、筐体本体１２から取り外し可能な筐体下部カバー１４に粘着シート１５を張り付けた構成であるため、虫などを粘着層１５ａによって捕獲した場合にそれを除去するのに都合がよい。つまり、筐体本体１２から筐体下部カバー１４を取り外し、さらに粘着シート１５を剥して新しいものを交換して再度取り付ければよい。
【００２１】
続いて別実施形態について説明する。
［別実施形態１］
図１に示す筐体１の場合は、筐体下部カバー１４を筐体本体１２に例えば螺合するような構成であるが、さらに筐体下部カバー１４を簡単に取り外しできるような構成も採用できる。その一例を図２に示す。
【００２２】
図２に示すように、この場合の筐体１０１は、粘着シート１５を張り付けた筐体下部カバー１１４を、筐体本体１１２の前面、すなわちフロントパネル１３の下方から取り出せるようにしたものである。図２（Ｂ）に示すように、筐体本体１１２の下部にはスライド溝１１３が設けられており、このスライド溝１１３に筐体下部カバー１１４を挿入できるようにしたものである。
【００２３】
なお、図２に示す構成は一例であり、これ以外にも一般的に用いられている取り外し自在な構成を適用してもよい。また、虫などを粘着層１５ａによって捕獲した場合にそれを除去するのに都合がよいという観点からすれば、筐体下部カバー１４が完全には筐体１から分離しなくも構わない。例えば、筐体下部カバー１４の一端を筐体１の一部にヒンジで固定しておき、そのヒンジを中心として揺動するような構成としてもよい。
［別実施形態２］
図１に示す筐体１の場合は、筐体下部カバー１４に粘着シート１５を張り付けることによって通風孔１６の周囲に粘着層１５ａを設けるようにしたが、粘着層１５ａを設ける手法についてはそれ以外にも考えられる。例えば筐体下部カバー１４の内壁に直接粘着剤を塗布して粘着層１５ａを設けてもよい。但し、その場合には、筐体下部カバー１５自体を交換したり、掃除したりする必要があるため、図３に示す構成を採用してもよい。つまり、筐体下部カバー１４に取り外し自在な板状体１１５を準備し、その板状体１１５の表面に粘着層１５ａを設けるのである。この場合には、接着剤などを用いずに、板状体１１５を筐体下部カバー１４にはめ込むなどして取り付ければ、その板状体１１５だけを取り外して交換すればよいため、利便は向上する。
【００２４】
以上、本発明はこのような実施形態に何等限定されるものではなく、本発明の主旨を逸脱しない範囲において種々なる形態で実施し得る。
例えば、図１に示した実施形態では、筐体下部カバー１４に通風孔１６が設けられていたが、それ以外の場所に設けられていてもよい。例えば筐体１の上面部や側面部などである。その場合にも、もちろん、通風孔１６の周囲に粘着層１５ａを設けることとなるが、その場合であっても、図１に示すように筐体下部カバー１４にはやはり粘着層１５ａを設けておくことが好ましい。なぜなら、通風孔１６が筐体上部あるいは側部にある場合には、侵入した虫などがそのまま落下していったりするなどして、必ずしも通風孔１６近辺に設けた粘着層１５ａによって捕獲されない可能性もあるため、種々の事情を鑑みた場合に最も捕獲の可能性が高いと思われる底部に配置しておけば捕獲の可能性が高くなるからである。
【００２５】
なお、単に捕獲の観点からすれば、筐体１の内周全体に粘着層を設けることが好ましいが、発熱体その他の装置・部品などを収容しているため、実際には筐体１の内周全体に粘着層を設けることは困難な場合もある。したがって、その場合にでも最低限底部にだけは粘着層を設けておくと一応の効果が発揮されると思われる。
【００２６】
また、上記実施形態では、ディスクトップ型コンピュータ用の筐体に適用した場合を示したが、それ以外でも、内部に発熱体を収容するための筐体であって、発熱体から発生した熱を外部へ放出するための通風孔を備えた筐体であれば同様に適用できる。例えば多数のハードディスク装置を筐体内に収容し、ハードディスクディスクアレイとして使用する場合の筐体について考える。このハードディスクアレイの場合には、各ハードディスク装置においてディスクを高速回転させることとなるため、それぞれが発熱体となり、ハードディスクアレイ全体としてはかなりの発熱が生じることとなる。そのため、本案を適用して通風機能を妨げないようにすることは非常に好ましいことである。
【図面の簡単な説明】
【図１】ディスクトップ型コンピュータ用の筐体に適用した実施形態の概略構成を示す分解斜視図である。
【図２】別実施形態を示す斜視図である。
【図３】別実施形態を示す斜視図である。
【符号の説明】
１，１０１…筐体
１１…筐体上部カバー
１２，１１２…筺体本体
１３…フロントパネル
１４，１１４…筐体下部カバー
１５…粘着シート
１５ａ…粘着層
１６…通風孔
１１３…スライド溝
１１５…板状体
【図１】
0003542454.tif 000002
【図２】
0003542454.tif 000003
【図３】
0003542454.tif 000004